(57)【要約】【課題】  カメラの傾きをモニタ画面の水平補助線表示を行なうことなく、利用者に告知することを可能とした構成を提供する。【解決手段】  水平補助線などの傾き情報を表示するＬＣＤパネルが消灯されている場合において、ＬＥＤ等の発光部の発光態様を撮像装置の傾きに応じて変更する。合焦確認用発光ＬＥＤを傾き告知用のＬＥＤとして兼用する構成とし、合焦処理中、合焦処理の成否と、カメラの傾きの有無、これらの各状態に応じて、合焦確認用発光ＬＥＤを異なる発光態様で発光させる制御を行う。本構成により、部品追加、コストアツプを伴うことなく、利用者に撮像装置の傾きの発生状態を告知する構成を実現し、ＬＥＤの点滅状態の変更で、利用者がカメラの傾きを把握できるようになり、操作性が向上する。【選択図】  図５
2006287768.tif 000002
【特許請求の範囲】
【請求項１】
撮像装置であり、
撮像装置の傾きを検出する傾き検出部と、
前記傾き検出部の傾き検出情報を入力し、入力する傾き検出情報に基づいて発光部の発光態様を変更する制御を実行する制御部と、
前記制御部の制御に従った発光処理を行なう発光部と、
を有することを特徴とする撮像装置。
【請求項２】
前記撮像装置は、
撮影対象となる被写体画像を表示するモニタ部を有し、
前記制御部は、
前記モニタ部がＯＮ状態の場合、前記傾き検出情報に基づいて前記モニタ部に対して撮像装置の傾きを示す補助線を出力表示する制御を実行し、
前記モニタ部がＯＦＦ状態の場合、前記傾き検出情報に基づいて前記発光部の発光態様を変更する制御を実行する構成であることを特徴とする請求項１に記載の撮像装置。
【請求項３】
前記発光部は、
被写体に対する焦点制御の成否を告知する合焦確認用発光部であり、
前記制御部は、
（１）合焦処理中、
（２）合焦処理成功、かつカメラ傾きなし、
（３）合焦処理失敗、かつカメラ傾きなし、
（４）合焦処理成功、かつカメラ傾きあり、
（５）合焦処理失敗、かつカメラ傾きあり、
上記（１）〜（５）の各々の状態に応じて、前記発光部を異なる発光態様で発光させる制御を行う構成であることを特徴とする請求項１に記載の撮像装置。
【請求項４】
前記制御部は、
撮像装置の傾きの有無に応じて、前記発光部の点滅パターン、または発光色の少なくともいずれかを変更する制御を行う構成であることを特徴とする請求項１に記載の撮像装置。
【請求項５】
前記制御部は、
撮像装置の傾きの度合いに応じて、前記発光部の点滅パターン、または発光色の少なくともいずれかを変更する制御を行う構成であることを特徴とする請求項１に記載の撮像装置。
【請求項６】
撮像装置における傾き情報提示方法であり、
撮像装置の傾きを検出する傾き検出ステップと、
前記傾き検出ステップにおいて検出された傾き検出情報を入力し、該傾き検出情報に基づいて発光部の発光態様を変更する制御を実行する制御ステップと、
を有することを特徴とする傾き情報提示方法。
【請求項７】
前記撮像装置は、撮影対象となる被写体画像を表示するモニタ部を有し、
前記制御ステップは、
前記モニタ部がＯＮ状態の場合、前記傾き検出情報に基づいて前記モニタ部に対して撮像装置の傾きを示す補助線を出力表示する制御を実行し、
前記モニタ部がＯＦＦ状態の場合、前記傾き検出情報に基づいて前記発光部の発光態様を変更する制御を実行することを特徴とする請求項６に記載の傾き情報提示方法。
【請求項８】
前記発光部は、被写体に対する焦点制御の成否を告知する合焦確認用発光部であり、
前記制御ステップは、
（１）合焦処理中、
（２）合焦処理成功、かつカメラ傾きなし、
（３）合焦処理失敗、かつカメラ傾きなし、
（４）合焦処理成功、かつカメラ傾きあり、
（５）合焦処理失敗、かつカメラ傾きあり、
上記（１）〜（５）の各々の状態に応じて、前記発光部を異なる発光態様で発光させる制御を行うことを特徴とする請求項６に記載の傾き情報提示方法。
【請求項９】
撮像装置において傾き情報提示処理を実行させるコンピュータ・プログラムであり、
撮像装置の傾きを検出する傾き検出ステップと、
前記傾き検出ステップにおいて検出された傾き検出情報を入力し、入力する傾き検出情報に基づいて発光部の発光態様を変更する制御を実行する制御ステップと、
を有することを特徴とするコンピュータ・プログラム。
【請求項１０】
前記撮像装置は、撮影対象となる被写体画像を表示するモニタ部を有し、
前記制御ステップは、
前記モニタ部がＯＮ状態の場合、前記傾き検出情報に基づいて前記モニタ部に対して撮像装置の傾きを示す補助線を出力表示する制御を実行し、
前記モニタ部がＯＦＦ状態の場合、前記傾き検出情報に基づいて前記発光部の発光態様を変更する制御を実行するステップであることを特徴とする請求項９に記載のコンピュータ・プログラム。
【請求項１１】
前記発光部は、被写体に対する焦点制御の成否を告知する合焦確認用発光部であり、
前記制御ステップは、
（１）合焦処理中、
（２）合焦処理成功、かつカメラ傾きなし、
（３）合焦処理失敗、かつカメラ傾きなし、
（４）合焦処理成功、かつカメラ傾きあり、
（５）合焦処理失敗、かつカメラ傾きあり、
上記（１）〜（５）の各々の状態に応じて、前記発光部を異なる発光態様で発光させる制御を行うステップであることを特徴とする請求項９に記載のコンピュータ・プログラム。
【発明の詳細な説明】
【技術分野】
【０００１】
本発明は、撮像装置、および傾き情報提示方法、並びにコンピュータ・プログラムに関する。さらに詳細には、例えばデジタルカメラ等の撮像装置において、カメラの傾きを検出し、撮影者であるユーザが傾きの発生を容易に検知することを可能とした撮像装置、および傾き情報提示方法、並びにコンピュータ・プログラムに関する。
【背景技術】
【０００２】
カメラでの画像撮影は、撮影者であるユーザがカメラを持ち、被写体を液晶ディスプレイなどのモニタによって確認して撮影が行なわれるのが一般的である。このような撮影を行なう場合、カメラに傾きがあると、撮影画像が傾いた画像になってしまう。
【０００３】
カメラの傾き発生を検出し、撮影者に対して、傾きを補正するための手助けとなる水平あるいは垂直の基準線の表示を行なう構成を開示した技術として特許文献１がある。特許文献１は、被写体の構図決定の手助けとなる水平あるいは垂直基準のための線状標識（以下、この線状標識を撮影補助線という）をビデオカメラファインダに表示するカメラ構成を開示している。
【０００４】
また、特許文献２は、映像記録装置の傾きを検出し、傾き情報をＬＣＤパネルなどに代表される電子ビューパネル（モニタ画面）に表示し、傾きの補正を操作者に促す構成を提案している。さらに、特許文献３は、水準器の機能をカメラ内部に持たせた構成を開示している。具体的には、カメラに姿勢検出装置を備え、姿勢検出装置から得られた角度データに応じた水平基準線の表示を変更する処理を行なうカメラを開示している。
【特許文献１】特公平５−６７９３５号公報
【特許文献２】特開２００２−７７７１２号公報
【特許文献３】特開２００２−２７１６５４号公報
【発明の開示】
【発明が解決しようとする課題】
【０００５】
上記の各従来技術は、カメラに傾きが発生していることを、撮影画像データを表示するＬＣＤパネル等のモニタ画面上の被写体画像に重畳して表示する構成となっている。モニタ画面がＯＮ状態にある場合は、ユーザは傾きの発生度合いを確認することができる。しかし、ユーザ（撮影者）は、電力消費を抑えたい場合や、光学ファインダを利用して被写体を確認するなどファインダに集中したい場合などには、撮影画像（ライブビュー画像）を表示するＬＣＤパネル等のモニタ画面を消灯することがある。モニタ画面がＯＦＦとなってしまうと、水平基準線等の傾きを示す撮影補助線も消えてしまうことになり、ユーザはカメラの傾きを確認することができなくなるという問題がある。
【０００６】
本発明は、上述の問題点に鑑みてなされたものであり、ＬＣＤパネル等のモニタ画面の消灯時においても、撮影者であるユーザが傾きの発生を容易に検知することを可能とした撮像装置、および傾き情報提示方法、並びにコンピュータ・プログラムを提供することを目的とする。
【課題を解決するための手段】
【０００７】
本発明の第１の側面は、
撮像装置であり、
撮像装置の傾きを検出する傾き検出部と、
前記傾き検出部の傾き検出情報を入力し、入力する傾き検出情報に基づいて発光部の発光態様を変更する制御を実行する制御部と、
前記制御部の制御に従った発光処理を行なう発光部と、
を有することを特徴とする撮像装置にある。
【０００８】
さらに、本発明の撮像装置の一実施態様において、前記撮像装置は、撮影対象となる被写体画像を表示するモニタ部を有し、前記制御部は、前記モニタ部がＯＮ状態の場合、前記傾き検出情報に基づいて前記モニタ部に対して撮像装置の傾きを示す補助線を出力表示する制御を実行し、前記モニタ部がＯＦＦ状態の場合、前記傾き検出情報に基づいて前記発光部の発光態様を変更する制御を実行する構成であることを特徴とする。
【０００９】
さらに、本発明の撮像装置の一実施態様において、前記発光部は、被写体に対する焦点制御の成否を告知する合焦確認用発光部であり、前記制御部は、
（１）合焦処理中、
（２）合焦処理成功、かつカメラ傾きなし、
（３）合焦処理失敗、かつカメラ傾きなし、
（４）合焦処理成功、かつカメラ傾きあり、
（５）合焦処理失敗、かつカメラ傾きあり、
上記（１）〜（５）の各々の状態に応じて、前記発光部を異なる発光態様で発光させる制御を行う構成であることを特徴とする。
【００１０】
さらに、本発明の撮像装置の一実施態様において、前記制御部は、撮像装置の傾きの有無に応じて、前記発光部の点滅パターン、または発光色の少なくともいずれかを変更する制御を行う構成であることを特徴とする。
【００１１】
さらに、本発明の撮像装置の一実施態様において、前記制御部は、撮像装置の傾きの度合いに応じて、前記発光部の点滅パターン、または発光色の少なくともいずれかを変更する制御を行う構成であることを特徴とする。
【００１２】
さらに、本発明の第２の側面は、
撮像装置における傾き情報提示方法であり、
撮像装置の傾きを検出する傾き検出ステップと、
前記傾き検出ステップにおいて検出された傾き検出情報を入力し、該傾き検出情報に基づいて発光部の発光態様を変更する制御を実行する制御ステップと、
を有することを特徴とする傾き情報提示方法にある。
【００１３】
さらに、本発明の傾き情報提示方法の一実施態様において、前記撮像装置は、撮影対象となる被写体画像を表示するモニタ部を有し、前記制御ステップは、前記モニタ部がＯＮ状態の場合、前記傾き検出情報に基づいて前記モニタ部に対して撮像装置の傾きを示す補助線を出力表示する制御を実行し、前記モニタ部がＯＦＦ状態の場合、前記傾き検出情報に基づいて前記発光部の発光態様を変更する制御を実行することを特徴とする。
【００１４】
さらに、本発明の傾き情報提示方法の一実施態様において、前記発光部は、被写体に対する焦点制御の成否を告知する合焦確認用発光部であり、前記制御ステップは、
（１）合焦処理中、
（２）合焦処理成功、かつカメラ傾きなし、
（３）合焦処理失敗、かつカメラ傾きなし、
（４）合焦処理成功、かつカメラ傾きあり、
（５）合焦処理失敗、かつカメラ傾きあり、
上記（１）〜（５）の各々の状態に応じて、前記発光部を異なる発光態様で発光させる制御を行うことを特徴とする。
【００１５】
さらに、本発明の第３の側面は、
撮像装置において傾き情報提示処理を実行させるコンピュータ・プログラムであり、
撮像装置の傾きを検出する傾き検出ステップと、
前記傾き検出ステップにおいて検出された傾き検出情報を入力し、入力する傾き検出情報に基づいて発光部の発光態様を変更する制御を実行する制御ステップと、
を有することを特徴とするコンピュータ・プログラムにある。
【００１６】
さらに、本発明のコンピュータ・プログラムの一実施態様において、前記撮像装置は、撮影対象となる被写体画像を表示するモニタ部を有し、前記制御ステップは、前記モニタ部がＯＮ状態の場合、前記傾き検出情報に基づいて前記モニタ部に対して撮像装置の傾きを示す補助線を出力表示する制御を実行し、前記モニタ部がＯＦＦ状態の場合、前記傾き検出情報に基づいて前記発光部の発光態様を変更する制御を実行するステップであることを特徴とする。
【００１７】
さらに、本発明のコンピュータ・プログラムの一実施態様において、前記発光部は、被写体に対する焦点制御の成否を告知する合焦確認用発光部であり、前記制御ステップは、
（１）合焦処理中、
（２）合焦処理成功、かつカメラ傾きなし、
（３）合焦処理失敗、かつカメラ傾きなし、
（４）合焦処理成功、かつカメラ傾きあり、
（５）合焦処理失敗、かつカメラ傾きあり、
上記（１）〜（５）の各々の状態に応じて、前記発光部を異なる発光態様で発光させる制御を行うステップであることを特徴とする請求項９に記載のコンピュータ・プログラムにある。
【００１８】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００１９】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００２０】
本発明の構成によれば、撮像装置において、水平補助線などの傾き情報をＬＣＤパネル上の表示画面に提示することが出来ない場合、例えばＬＣＤパネルが消灯時の場合においても、ＬＥＤ等の発光部の発光態様を撮像装置の傾きに応じて変更する構成としたので、撮像装置の利用者は、ＬＣＤパネルをＯＮとすることなく、容易に撮像装置の傾きの発生状態を確認することが可能となる。
【００２１】
また、本発明の一実施例の構成によれば、焦点調整処理の成否を告知する合焦確認用発光ＬＥＤを傾き告知用のＬＥＤとして兼用する構成とし、
（１）合焦処理中、
（２）合焦処理成功、かつカメラ傾きなし、
（３）合焦処理失敗、かつカメラ傾きなし、
（４）合焦処理成功、かつカメラ傾きあり、
（５）合焦処理失敗、かつカメラ傾きあり、
上記（１）〜（５）の各々の状態に応じて、合焦確認用発光ＬＥＤを異なる発光態様で発光させる制御を行う構成としたので、部品追加、コストアツプを伴うことなく、利用者に撮像装置の傾きの発生状態を告知する構成を実現し、ＬＥＤの点滅状態の変更で、利用者がカメラの傾きを把握できるようになり、操作性が向上する。
【発明を実施するための最良の形態】
【００２２】
以下、図面を参照しながら、本発明の撮像装置、および傾き情報提示方法、並びにコンピュータ・プログラムの詳細について説明する。
【００２３】
まず、撮像装置の構成例について図を参照して説明する。なお、本発明は静止画像を撮影するスチルカメラ、動画像を撮影するビデオカメラのいずれにも適用可能であり、またデジタルデータを取得可能なデジタルカメラ、その他のカメラの区別なく、画像撮影機器全般に適用可能な発明であるが、以下では、本発明を適用した一実施例としてデジタルカメラ装置の例について説明する。
【００２４】
図１は、本発明の撮像装置の一実施形態として提案するデジタルカメラの外観を示している。図１（ａ）は正面図、図１（ｂ）は背面図、図１（ｃ）は側面図（正面左側）、図１（ｄ）は、図１（ｃ）は側面図（正面左側）に構成される保護カバー１７の動きを示す図である。
【００２５】
図１に示すように、デジタルカメラ１は、撮影時に押下するシャッターボタン（レリーズボタン）２、バッテリ、外部電源などの電源を切り替える電源切り替えボタン３、被写体の確認用のファインダである光学ビューファインダ４、フラッシュ５、撮像レンズ６、メニューカーソル指示ボタン類および選択指示ボタン７、機能ボタン類８、モニタ画面１０の表示切り替え処理に適用する切替ボタン９、被写体の画像を表示する例えばＬＣＤパネル等の電子ビューパネルであるモニタ画面１０、撮影被写体に対する焦点制御が完了し、焦点が合ったことの確認ランプとして機能する合焦確認用発光ダイオード（ＬＥＤ表示部）１１、撮影画像のメモリ格納処理の実行期間であることを点灯表示するタリー用発光ダイオード（ＬＥＤ表示部）１２、ストロボの充電期間であることを点灯表示するストロボ充電確認用発光ダイオード（ＬＥＤ表示部）１３、バッテリ挿入口１４、画像記録用メモリカード挿入口１５、ＵＳＢ端子口（外部接続端子口）１６を有する。
【００２６】
また、図１（ｄ）に示すように、撮像装置の側面には、開閉可能な保護カバー１７があるため、バッテリ挿入口１４、メモリカード挿入口１５、ＵＳＢ端子口１６は外部からは見えない。バッテリ入れ替えや、デジタルカメラ１をクライアントコンピュータなどと接続するときに保護カバーを開ける。
【００２７】
次に、図２を参照して、撮像装置のハードウェア構成および撮像処理について説明する。撮像装置の全体の動作制御はプログラムＲＡＭ２７に格納されているプログラムをＣＰＵ２６が実行することで行われる。ＣＰＵ２６は、例えば操作入力部２５からの信号入力に基づいて各回路を統括制御する制御部であり、具体的にはモニタ部であるＬＣＤパネル１０の表示データ制御、ＬＥＤ表示部２４の点灯、点滅などの発光制御、ストロボ発光制御、オートフォーカス（ＡＦ）演算、自動露出（ＡＥ）制御処理等を行う。操作入力部２５は、各種の指示入力手段を含むブロックである。
【００２８】
図１を参照して説明したシャッターボタン２や電源切り替えボタン３、カーソル指示ボタン７、機能ボタン類８などの操作によるボタン押下情報は、操作入力部２５で検出され、制御部としてのＣＰＵ２６に伝えられる。
【００２９】
ＬＥＤ表示部２４は、図１に示す合焦確認用発光ダイオード（ＬＥＤ表示部）１１、タリー用発光ダイオード（ＬＥＤ表示部）１２、ストロボ充電確認用発光ダイオード（ＬＥＤ表示部）１３に相当し、これらは、図１に示すように、光学ビューファインダ４やＬＣＤパネル９の近傍に設けられることが多い。
【００３０】
なお、ＬＥＤ表示部２４は、本実施例では合焦確認用発光ダイオード１１、タリー用発光ダイオード１２、ストロボ充電確認用発光ダイオード１３から構成されているが、ＬＥＤ表示部２４の構成はカメラの種類により異なる。ただし、合焦確認用発光ダイオード１１（以下、合焦確認用発光ＬＥＤと略する）はほぼすべてのカメラに装備されている。
【００３１】
ＬＥＤ表示部２４は制御部としてのＣＰＵ２０と電気的に接続されており、一般的に合焦確認用発光ＬＥＤ１１は、操作者がシャッターボタン２を半押ししたときに、合焦が成功すれば点灯、失敗すると比較的遅い点滅（点滅周波数は実施例の場合およそ０．８Ｈｚ）という動作を行う。
【００３２】
傾き検出部３２は、カメラの傾きを電気信号に変換する傾きセンサから構成されており、デジタルカメラ１が撮影方向に対してどれだけ水平方向に傾いているかが検出できる。傾き検出部３２は制御部としてのＣＰＵ２０に電気的に接続されており、傾いているか・傾いていないか、傾いているなら傾きはどの方向にどれくらいか、などの状態を信号で制御部であるＣＰＵ２０に伝え、ＣＰＵ２０において実行する各種の制御に利用できるようになっている。
【００３３】
フラッシュメモリ２９には、制御プログラムが格納される。制御プログラムは、主に以下のような制御処理を実行するためのプログラムである。
（ａ）デジタルカメラの撮影制御を行う処理
（ｂ）画像を再生する処理
（ｃ）画像を編集（画像削除、回転、印刷など）する処理
（ｄ）外部接続端子を介して外部装置と接続する処理
（ｅ）デジタルカメラの表示部（以下ＬＣＤパネル）を制御する処理
【００３４】
上記の各制御のシーケンスを記録した制御プログラムはＦＬＡＳＨメモリ２９内に格納されており、電源起動時にＦＬＡＳＨメモリ２９からプログラムＲＡＭ２７へ転送される。制御部としてのＣＰＵ２６はプログラムＲＡＭ２７上の制御プログラムを実行することで、デジタルカメラの動作を行う。
【００３５】
デジタルカメラの代表的な処理である上記（ａ）の撮影制御処理に関して、処理概要を以下に述べる。
【００３６】
利用者がシャッターボタンを押す前、つまり被写体観察時に、撮像レンズ６に写った被写体像は、撮像素子１８で光電変換され、アナログ電気信号の形式で出力される。その信号はアナログ信号処理部１９でガンマ補正・白バランス処理などを行った後、Ａ／Ｄ変換部２０でデジタル信号に変換され、デジタル信号処理部２１に送られる。デジタル信号処理部２１に入力された画像データは制御バス３０を経由して、画像ＲＡＭ２８に一時的に蓄えられる。この画像データは制御バス３０を経由して映像信号生成処理部３１で映像信号に変換され、ＬＣＤパネル１０に出力される。
【００３７】
上記の処理は毎フレーム秒（１／６０秒）ごとに行われるので、結果として利用者はＬＣＤパネル１０を見ながら被写体の構図を決定することができる。
【００３８】
利用者がシャッターボタンを半押しすると、撮像前処理として、露出動作と測距処理が行なわれる。これらの処理の実行期間は、デジタルカメラが焦点制御処理を実行中であることを示すために、図１に示すカメラ背面にある合焦確認用ＬＥＤ１１を点滅させて、ユーザに告知する。この処理の詳細については後述する。利用者がシャッターボタンを深押すると、画像ＲＡＭ２８に格納された画像データは、再びデジタル信号処理部２１に送られ、ＪＰＥＧ方式に代表されるような画像圧縮処理を行い、制御バス３０とＩ／Ｏ制御部２２を経由して、メモリカード２３に格納される。
【００３９】
さて、本実施例のデジタルカメラ１は、撮影方向に対して水平な状態にあるかどうかを操作者が確認可能とするための機能を複数有している。以下、この機能について詳細に説明する。
【００４０】
まず、第１の機能はＬＣＤパネルを利用した傾き確認機能である。図３に示すように、モニタ画面としてのＬＣＤパネル１０に撮影補助線３３と水平補助線３４を同時に表示する機能（傾き告知モード）を持つ。なおこの機能は、従来のカメラにおいても利用されている機能である。
【００４１】
撮影補助線３３はライブビュー画像の基準となるもので、ＬＣＤパネル１０の垂直方向および水平方向に表示される。水平補助線３４は傾き検出手段２３からの情報をもとに水平方向に対するデジタルカメラ１の傾きをＬＣＤパネル上で表現したものである。
【００４２】
撮影補助線３３および水平補助線３４が表示されない場合に構図が傾いてしまった場合の例を図３（ａ）に、撮影補助線３３および水平補助線３４を表示した場合を図３（ｂ）に示す。撮影構図が水平状態に合致しているかどうかを操作者は撮影補助線３３と水平補助線３４の重なり具合で確認できる。この２つの線の重なりによる調整結果、すなわち、撮影者がデジタルカメラ１を水平にした場合のＬＣＤパネル上の表示画面例を図３（ｃ）に示す。図３（ｃ）の表示画面では、撮影補助線３３と水平補助線３４とが重なり、この重なりによって、カメラが水平に保持されたことを知ることができる。
【００４３】
このような撮影補助線３３や水平補助線３４をＬＣＤパネル１０の表示画面上に表示するか非表示とするかは、ユーザによる設定が可能である。例えば図３（ｄ）に示すように、ＬＣＤパネル１０にＧＵＩメニュー画面を表示し、各補助線の表示または非表示の切り替えが可能である。
各補助線の表示設定状態を傾き告知モード＝ＯＮ、
各補助線の非表示設定状態を傾き告知モード＝ＯＦＦ、
とする。
【００４４】
モニタ画面としてのＬＣＤパネル１０がＯＮ状態にあり、傾き告知モードがＯＮに設定されている場合は、ユーザは傾きの発生度合いを確認することができる。しかし、前述したように、ユーザ（撮影者）は、電力消費を抑えたい場合や、あるいは光学ファインダを利用して被写体を確認するなどファインダに集中したい場合などには、ＬＣＤパネル１０を消灯することがある。ＬＣＤパネル１０がＯＦＦとなっている場合、あるいは、傾き告知モードがＯＦＦに設定されている場合は、撮影補助線３３や水平補助線３４は確認不可能となり、ユーザはカメラの傾きを確認することができなくなるという問題がある。
【００４５】
本実施例のデジタルカメラ１は、この問題を解決するため、ＬＣＤパネル１０を消灯した場合でも、カメラの傾き状態を操作者が確認可能な第２の機能を有している。以下、傾き確認のための第２の機能は、ＬＥＤを利用したものである。この機能について詳細に説明する。
【００４６】
本実施例のデジタルカメラ１は、図１に示すカメラ背面にある合焦確認用ＬＥＤ１１の点灯、点滅などパターンを変更して、カメラの傾きをユーザに告知する。本発明のデジタルカメラにおいては、合焦確認用ＬＥＤ１１のＬＥＤ点灯制御パターンとして様々なパターンを設定している。すなわち、
点灯制御パターンＡ、
点灯制御パターンＢ、
点灯制御パターンＣ、
これらＡ〜Ｃの３つの点灯制御パターンを設定している。
【００４７】
これらの点灯制御パターンＡ〜Ｃについて、図４、図５を参照して説明する。図４は、モニタ画面としてのＬＣＤパネル１０がＯＮ状態にあるときの合焦確認用ＬＥＤ１１の点灯制御パターンの推移および信号波形を示している。上段の波形が合焦成功時の合焦確認用ＬＥＤ１１の点灯または点滅信号波形を示し、下段の波形が合焦失敗時の波形を示している。波形はハイレベルの時がＬＥＤ点灯（ＯＮ）、ローレベルの時が消灯（ＯＦＦ）である。左から右に時間（ｔ）が経過しており、
〜ｔａ：［合焦前］シャッター半押し開始前、
ｔａ〜ｔｂ：［合焦処理中］シャッター半押し中、
ｔｂ〜ｔｃ：［合焦処理終了］カメラ傾きなし、
ｔｃ〜    ：［合焦処理終了］カメラ傾きあり、
これらの各状態における合焦確認用ＬＥＤ１１の点灯または点滅信号波形を示している。
【００４８】
ＬＣＤパネル１０がＯＮ状態にある場合、図４に示すように、合焦確認用ＬＥＤ１１は、
ｔａ〜ｔｂ：［合焦処理中］＝点灯制御パターンＡ
ｔｂ〜ｔｃ：［合焦処理終了］＝点灯制御パターンＢ
の２つのパターンによって制御される。
【００４９】
点灯制御パターンＡは、唯一の信号波形［Ｗ０１］を有し、
点灯時間＝ｔ１、
消灯時間＝ｔ１
のＬＥＤ点滅を繰り返す信号波形［Ｗ０１］に従った点灯制御である。
【００５０】
点灯制御をパターンＢは、時間ｔｂ以降の［合焦処理終了］後における点灯制御態様である。
点灯制御をパターンＢは、図４に示すように、２つの信号波形［Ｗ０２，Ｗ０３］を有し、
合焦処理に成功した場合と失敗した場合とで、異なる波形として、合焦が成功したか失敗したかをユーザに告知する構成となっている。すなわち、
合焦処理に成功した場合は、常時点灯状態としての信号波形［Ｗ０２］、
合焦処理に失敗した場合は、
点灯時間＝ｔ２、
消灯時間＝ｔ２
のＬＥＤ点滅を繰り返す信号波形［Ｗ０３］に従った点灯制御である。
なお、ｔ１＜ｔ２であり、
合焦処理中の状態であるか、合焦に失敗した状態であるかをユーザが判別できる構成となっている。
【００５１】
このように、モニタ画面としてのＬＣＤパネル１０がＯＮ状態にあるときは、点灯制御パターンは、点灯制御パターンＡと点灯制御パターンＢのいずれかによって制御され、以下の３つの状態をユーザに知らせることを可能としている。
（１）合焦処理中（点灯制御パターンＡ（信号波形［Ｗ０１］）
（２）合焦処理成功（点灯制御パターンＢ（信号波形［Ｗ０２］）
（３）合焦処理失敗（点灯制御パターンＢ（信号波形［Ｗ０３］）
【００５２】
次に、図５を参照して、モニタ画面としてのＬＣＤパネル１０がＯＦＦ状態にあるときの合焦確認用ＬＥＤ１１の点灯制御パターンの推移について説明する。上段の波形が合焦成功時の合焦確認用ＬＥＤ１１の点灯または点滅信号波形を示し、下段の波形が合焦失敗時の波形を示している。波形はハイレベルの時がＬＥＤ点灯（ＯＮ）、ローレベルの時が消灯（ＯＦＦ）である。図４と同様、左から右に時間（ｔ）が経過しており、
〜ｔａ：［合焦前］シャッター半押し開始前、
ｔａ〜ｔｂ：［合焦処理中］シャッター半押し中
ｔｂ〜ｔｃ：［合焦処理終了］カメラ傾きなし
ｔｃ〜    ：［合焦処理終了］カメラ傾きあり
これらの各状態における合焦確認用ＬＥＤ１１の点灯または点滅信号波形を示している。
【００５３】
ＬＣＤパネル１０がＯＦＦ状態にある場合、図５に示すように、合焦確認用ＬＥＤ１１は、
ｔａ〜ｔｂ：［合焦処理中］＝点灯制御パターンＡ
ｔｂ〜ｔｃ：［合焦処理終了］＝点灯制御パターンＣ
の２つのパターンによって制御される。
【００５４】
点灯制御パターンＡは、唯一の信号波形［Ｗ０１］を有し、
点灯時間＝ｔ１、
消灯時間＝ｔ１
のＬＥＤ点滅を繰り返す信号波形［Ｗ０１］に従った点灯制御であり、図４に示すと同様の点灯制御パターンＡである。
【００５５】
点灯制御をパターンＣは、時間ｔｂ以降の［合焦処理終了］後における点灯制御態様である。
点灯制御をパターンＣは、図５に示すように、４つの信号波形［Ｗ０２，Ｗ０３，Ｗ０４，Ｗ０５］を有し、
合焦処理に成功した場合と失敗した場合とで、異なる波形として合焦が成功したか失敗したかをユーザに告知する構成となっているとともに、カメラの傾きの有無に応じて異なる波形としてカメラの傾きの有無をユーザに告知する構成となっている。
【００５６】
図５に示す点灯制御をパターンＣは、ＬＣＤパネル１０がＯＦＦ状態にある場合における制御パターンであり、ＬＣＤパネル１０には、傾きの有無を示す情報が表示されないが、合焦確認用ＬＥＤ１１の点滅パターンの差異によって、ユーザはカメラが傾いているか否かを判別することが可能となる。
【００５７】
図５に示す時間ｔｂ〜ｔｃは、合焦処理が終了し、カメラ傾きなしの状態であり、この状態においては、
合焦処理に成功した場合は、常時点灯状態としての信号波形［Ｗ０２］、
合焦処理に失敗した場合は、
点灯時間＝ｔ２、
消灯時間＝ｔ２
のＬＥＤ点滅を繰り返す信号波形［Ｗ０３］に従った点灯制御である。
この制御は、図４に示す点灯制御パターンＢと同様の制御パターンである。
【００５８】
さらに、図５に示す時間ｔｃ〜は、合焦処理が終了し、カメラ傾きありの状態であり、この状態においては、
合焦処理に成功し、カメラ傾きありの状態の場合は、
点灯時間＝ｔ３、
消灯時間＝ｔ３、
の短い間隔でのＬＥＤ点滅を繰り返す信号波形［Ｗ０４］に従った点灯制御である。なお、
ｔ３＜ｔ１＜ｔ２
である。例えば時間ｔ３は極めて短く設定され、信号波形［Ｗ０４］は、十分高い周波数の信号波形として設定される。具体的な一例では、信号波形［Ｗ０４］は、１５Ｈｚの激しい点滅波形である。
【００５９】
また、合焦処理に失敗し、カメラ傾きありの状態の場合は、
点灯時間＝ｔ３、
消灯時間＝ｔ３、
の短い間隔でのＬＥＤ点滅の一定時間（ｔ２）の繰り返し期間と、一定時間（ｔ２）の消灯期間とが交互に設定される信号波形［Ｗ０５］に従った点灯制御である。なお、
ｔ３＜ｔ１＜ｔ２
である。
【００６０】
図５に示す点灯制御をパターンＣは、点灯制御パターンＢに短い時間間隔（ｔ３）の点滅パターンを重畳した信号波形に相当する。
【００６１】
このように、モニタ画面としてのＬＣＤパネル１０がＯＦＦ状態にあるときは、点灯制御パターンは、点灯制御パターンＡと点灯制御パターンＣのいずれかによって制御され、以下の５つの状態をユーザに知らせることを可能としている。
（１）合焦処理中（点灯制御パターンＡ（信号波形［Ｗ０１］）
（２）合焦処理成功カメラ傾きなし（点灯制御パターンＣ（信号波形［Ｗ０２］）
（３）合焦処理失敗カメラ傾きなし（点灯制御パターンＣ（信号波形［Ｗ０３］）
（４）合焦処理成功カメラ傾きあり（点灯制御パターンＣ（信号波形［Ｗ０４］）
（５）合焦処理失敗カメラ傾きあり（点灯制御パターンＣ（信号波形［Ｗ０５］）
【００６２】
ＬＣＤパネル１０がＯＦＦ状態では、このように、合焦確認用ＬＥＤ１１点灯制御が行われるので、先に図３を参照して説明した各種の補助線をＬＣＤパネル１０に表示しない状態でも、ユーザはカメラの傾きの有無を容易に知ることが可能となる。
【００６３】
次に、利用者がシャッターボタンを押し、撮像動作を行うときの、制御プログラムによる処理の流れについて、図６を用いて説明する。ステップＳ１０１において制御プログラムによる制御を開始する。前述したように、制御プログラムはＦＬＡＳＨメモリ２９内に格納されており、電源起動時にＦＬＡＳＨメモリ２９からプログラムＲＡＭ２７へ転送され、制御部としてのＣＰＵ２６がプログラムＲＡＭ２７上の制御プログラムを実行する。制御プログラムが開始されると、カメラ動作中、利用者がシャッターボタンを押したかどうかステップＳ１０２で常に監視する。利用者がシャッターボタンを押したことが検出されなければ、ステップＳ１０２の判定はＮｏとなり、先の処理を行わない。
【００６４】
利用者がシャッターボタンを押したことが検出されると、ステップＳ１０２はＹｅｓとなり撮像前処理として、露出動作（ステップＳ１０３）と測距処理（ステップＳ１０４）を行う。ステップＳ１０３とＳ１０４の実行期間は、デジタルカメラが焦点制御処理を実行中であることを示すために、図１に示すカメラ背面にある合焦確認用ＬＥＤ１１を点滅させて、ユーザに告知する。このときの合焦確認用ＬＥＤ１１のＬＥＤ点灯制御パターンが、図４、図５を参照して説明した時間ｔａ〜ｔｂ期間の点灯制御パターンＡである。
【００６５】
ステップＳ１０３及びＳ１０４において露出値・測距値が決まるが、その結果を利用者にどのように告知するかという告知仕様は、ＬＣＤパネルを表示ＯＮにしているか、していないかの設定状態によって異なる。
【００６６】
ステップＳ１０５において、ＬＣＤパネル表示がＯＮなら、ステップＳ１０５はＹｅｓとなり、制御プログラムはステップＳ１０６の処理を行う。すなわち、ステップＳ１０３及びＳ１０４で決まったＦ（フォーカス）値、シャッタースピード、合焦枠等の各種の撮影パラメータ情報をＬＣＤパネル１０に表示する。ステップＳ１０６のパラメータ情報表示処理を行った後、ステップＳ１０７の処理において、合焦確認用ＬＥＤ１１を点灯もしくは点滅させて、合焦できたかどうかを利用者に告知する。なお、ここでのＬＥＤ点灯制御パターンは、図４を参照して説明した時間ｔｂ以降の点灯制御パターンＢである。
【００６７】
ステップＳ１０７において実行する点灯制御パターンＢによる合焦確認用ＬＥＤ１１の制御処理シーケンスの詳細について図７に示すフローチャートを参照して説明する。利用者がシャッターボタン３を押し、露出・測距処理を終了すると、ステップＳ２０１において、ＬＥＤ点灯制御パターンＢによる点灯制御処理が開始される。ステップＳ２０２で合焦の成否判定を行い、合焦に成功していると判定したら、ステップＳ２０３に進み、ＬＥＤ点滅波形［Ｗ０２］、すなわち、図４の合焦成功の時間ｔｂ〜の信号波形、すなわち、常時点灯の状態に設定する。
【００６８】
一方、合焦に失敗していると判定された場合は、ステップＳ２０４に進み、ＬＥＤ点滅波形［Ｗ０３］、すなわち、図４の合焦失敗の時間ｔｂ〜の信号波形、すなわち、
点灯時間＝ｔ２、
消灯時間＝ｔ２
のＬＥＤ点滅を繰り返す信号波形［Ｗ０３］に従った点灯制御を行なう。
【００６９】
このように、モニタ画面としてのＬＣＤパネル１０がＯＮ状態にある場合は、図７に示す点灯制御パターンＢに従った点灯制御を実行し、合焦確認用ＬＥＤ１１は、
＊合焦処理成功（点灯制御パターンＢ（信号波形［Ｗ０２］）
＊合焦処理失敗（点灯制御パターンＢ（信号波形［Ｗ０３］）
のいずれかの信号波形となるように制御される。
【００７０】
このように、ＬＣＤパネル表示がＯＮである場合には、利用者は、先に図３を参照して説明した水平補助線など各種の補助線によって、カメラの傾きの確認、補正が可能であり、図４に示すように、カメラの傾きの有無によって、合焦確認用ＬＥＤ１１の信号波形は変化させることなく、合焦確認用ＬＥＤ１１の信号波形の変更によるカメラの傾きについての告知は行なわない。
【００７１】
一方、ＬＣＤパネルがＯＦＦとなっていた場合、ステップＳ１０５はＮｏとなるので、露出・測距の結果にかかわらず、ＬＣＤパネル上に撮影パラメータを表示する処理は行わずにステップＳ１０８に進む。そしてステップＳ１０８の処理において、合焦確認用ＬＥＤ１１を点灯もしくは点滅させて、合焦できたかどうかを利用者に告知する。このステップＳ１０８でのＬＥＤ点灯パターンは、図５における時間ｔｂ以降の点灯制御パターンＣである。
【００７２】
ステップＳ１０８において実行する点灯制御パターンＣによる合焦確認用ＬＥＤ１１の制御処理シーケンスの詳細について図８に示すフローチャートを参照して説明する。利用者がシャッターボタン３を押し、露出・測距処理を終了すると、ステップＳ２０６において、ＬＥＤ点灯制御パターンＣによる点灯制御処理が開始される。ステップＳ２０７で合焦の成否判定を行い、合焦に成功していると判定したら、ステップＳ２０８に進み、デジタルカメラ１の傾き検出部３２から入力する傾き情報に基づいてカメラが水平方向に傾いていると判定した場合、ステップＳ２１０に進む。
【００７３】
ステップＳ２１０では、ＬＥＤ点滅波形［Ｗ０４］、すなわち、図５の合焦成功の時間ｔｃ〜の信号波形、すなわち、
点灯時間＝ｔ３、
消灯時間＝ｔ３
のＬＥＤ点滅を繰り返す信号波形［Ｗ０４］に従った点灯制御を行なう。
【００７４】
デジタルカメラ１の傾き検出部３２から入力する傾き情報に基づいてカメラが水平方向に傾いていないと判定した場合、ステップＳ２１１に進む。ステップＳ２１１では、ＬＥＤ点滅波形［Ｗ０２］、すなわち、図５の合焦成功の時間ｔｂ〜ｔｃの信号波形、すなわち、常時点灯の状態に設定する。
【００７５】
また、ステップＳ２０７において、合焦に失敗していると判定された場合は、ステップＳ２０９に進み、デジタルカメラ１の傾き検出部３２から入力する傾き情報に基づいてカメラが水平方向に傾いていると判定した場合、ステップＳ２１２に進む。
【００７６】
ステップＳ２１２では、ＬＥＤ点滅波形［Ｗ０５］、すなわち、図５の合焦失敗の時間ｔｃ〜の信号波形、すなわち、
点灯時間＝ｔ３、
消灯時間＝ｔ３、
の短い間隔でのＬＥＤ点滅の一定時間（ｔ２）の繰り返し期間と、一定時間（ｔ２）の消灯期間とが交互に設定される信号波形［Ｗ０５］に従った点灯制御を行なう。
【００７７】
また、デジタルカメラ１の傾き検出部３２から入力する傾き情報に基づいてカメラが水平方向に傾いていないと判定した場合、ステップＳ２１３に進む。ステップＳ２１３では、ＬＥＤ点滅波形［Ｗ０３］、すなわち、図５の合焦失敗の時間ｔｂ〜ｔｃの信号波形、すなわち、
点灯時間＝ｔ２、
消灯時間＝ｔ２
のＬＥＤ点滅を繰り返す信号波形［Ｗ０３］に従った点灯制御を行なう。
【００７８】
ＬＣＤパネル表示がＯＦＦである場合には、利用者は、先に図３を参照して説明した水平補助線など各種の補助線によるカメラの傾きの確認が不可能となる。従って、合焦処理の終了後は、図５の時間ｔｂ〜に示すように、
＊合焦処理成功カメラ傾きなし（点灯制御パターンＣ（信号波形［Ｗ０２］）
＊合焦処理失敗カメラ傾きなし（点灯制御パターンＣ（信号波形［Ｗ０３］）
＊合焦処理成功カメラ傾きあり（点灯制御パターンＣ（信号波形［Ｗ０４］）
＊合焦処理失敗カメラ傾きあり（点灯制御パターンＣ（信号波形［Ｗ０５］）
のように、カメラの傾きの有無に応じて信号波形を変更して、合焦確認ＬＥＤ１１の信号波形の変更によるカメラの傾きについての告知は行なう構成としている。
【００７９】
図６に示すフローチャートに戻り、撮像処理シーケンスについての説明を続ける。ステップＳ１０７またはステップＳ１０８のＬＥＤ点灯制御の実行中、ステップＳ１０９においてシャッターボタンの深押しが、なされたか否かを判定し、深押しでなければステップＳ１１０の処理を行う。すなわち、シャッターボタンに対するユーザの押下が終了したか否かをチェックし、押下が終了していれば、利用者は撮像動作をやめたと判断して、ステップＳ１０２に戻る。逆に、シャッターボタンの押下が終了していなければ、利用者はシャッター半押し状態を保持しているので、ステップＳ１０９に戻り、利用者の次の動作を待つ。
【００８０】
利用者がシャッターボタンを深押しした場合、ステップＳ１０９はＹｅｓとなり、撮像処理Ｓ１１１及び映像の記録処理Ｓ１１２が行われる。すなわち、撮像レンズ６に写った被写体像が撮像素子１８で光電変換され、アナログ信号処理部１９、Ａ／Ｄ変換部２０、デジタル信号処理部２１、制御バス３０、画像ＲＡＭ２８の順で伝達される。画像ＲＡＭ２８に格納された画像データは、再びデジタル信号処理部２１に送られ、ＪＰＥＧ方式に代表されるような画像圧縮処理を行い、制御バス３０とＩ／Ｏ制御部２２を経由して、メモリカード２３に格納される。
【００８１】
記録処理まで終了したら、撮像処理が完了したことになるので、制御プログラムはステップＳ１０２に戻り、次の撮影指示を待つ。
【００８２】
上述したように、本発明の撮像装置としてのデジタルカメラは、合焦確認用ＬＥＤ１１の点灯制御パターンとしてＡ，Ｂ，Ｃの３パターンを有する構成としている。モニタ画面としてのＬＣＤパネル１０がＯＮ状態にあるときは、点灯制御パターンは、点灯制御パターンＡと点灯制御パターンＢのいずれかによって制御され、以下の３つの状態をユーザに知らせることを可能としている。
（１）合焦処理中（点灯制御パターンＡ（信号波形［Ｗ０１］）
（２）合焦処理成功（点灯制御パターンＢ（信号波形［Ｗ０２］）
（３）合焦処理失敗（点灯制御パターンＢ（信号波形［Ｗ０３］）
【００８３】
また、モニタ画面としてのＬＣＤパネル１０がＯＦＦ状態にあるときは、点灯制御パターンは、点灯制御パターンＡと点灯制御パターンＣのいずれかによって制御され、以下の５つの状態をユーザに知らせることを可能としている。
（１）合焦処理中（点灯制御パターンＡ（信号波形［Ｗ０１］）
（２）合焦処理成功カメラ傾きなし（点灯制御パターンＣ（信号波形［Ｗ０２］）
（３）合焦処理失敗カメラ傾きなし（点灯制御パターンＣ（信号波形［Ｗ０３］）
（４）合焦処理成功カメラ傾きあり（点灯制御パターンＣ（信号波形［Ｗ０４］）
（５）合焦処理失敗カメラ傾きあり（点灯制御パターンＣ（信号波形［Ｗ０５］）
【００８４】
ＬＣＤパネル１０がＯＦＦ状態では、このように、合焦確認用ＬＥＤ１１点灯制御が行われるので、先に図３を参照して説明した各種の補助線をＬＣＤパネル１０に表示しない状態でも、ユーザはカメラの傾きの有無を容易に知ることが可能となる。
【００８５】
前述のとおり、ＬＣＤパネル１０がＯＮである場合は、先に図３を参照して説明したとおり、撮影被写体画像であるライブビュー画像と撮影補助線３３と水平補助線３４が表示される。この状態なら、利用者はＬＣＤパネル１０を見て、水平あわせ（傾き補正）をすればよい。
【００８６】
操作者がＬＣＤパネル切り替えボタン９を押して、ＬＣＤパネル１０をＯＦＦした場合は、ＬＣＤパネル１０には何も表示されなくなるので、ライブビュー画像および撮影補助線３３と水平補助線３４は表示されない。このときＣＰＵ２０は、ＬＣＤパネルが消灯したことを条件として、ＬＥＤ表示部に対して、デジタルカメラが傾いている場合には、合焦確認用発光ＬＥＤ１１の点灯形態を変更し、カメラが傾いているか否かについて利用者に告知することが可能となる。この状態の場合、利用者は合焦確認用発光ＬＥＤ１１の点灯態様に基づいて、水平あわせ（傾き補正）をすればよい。
【００８７】
カメラが傾いている場合は、合焦確認用発光ＬＥＤ１１は、図５に示す時間ｔｃ〜以降の信号波形の激しい点滅を実行するが、利用者がカメラの傾きを制御し、水平状態に設定された場合は、合焦確認用発光ＬＥＤ１１は、図５に示す時間ｔｂ〜ｔｃの信号波形に変更されるので、利用者は、カメラの傾きが解消されたか否かを判断することができる。
【００８８】
このように、本発明の撮像装置では、合焦確認用発光ＬＥＤ１１の点滅動作により、ＬＣＤパネルＯＦＦの場合でも、カメラが水平方向に対して傾いていることをユーザに通知することが可能となる。
【００８９】
なお、上述した実施例では、合焦確認用発光ＬＥＤ１１を傾きの有無によって異なる信号波形の点滅または点灯状態等、発光態様を変更する設定構成としたが、図１に示すように、カメラには、合焦確認用発光ＬＥＤ１１以外にも、撮影画像のメモリ格納処理の実行期間であることを点灯表示するタリー用発光ダイオード（ＬＥＤ表示部）１２、ストロボの充電期間であることを点灯表示するストロボ充電確認用発光ダイオード（ＬＥＤ表示部）１３が設定されており、これらのＬＥＤを適用して、上述したと同様のカメラの傾きの有無に基づく発光態様の変更を行なう構成としてもよい。あるいは傾きの有無に基づく専用のＬＥＤを設定する構成としてもよい。
【００９０】
また、上述の実施例では、カメラの傾きが有るか無いかの２つのみを区別して発光態様を変更する設定例を説明したが、カメラの傾き具合に応じて点滅周期を変更する構成としてもよい。すなわち、傾いているが傾きが少ないときは、点滅周期をより短くし、傾きが大きくなるにつれて点滅周期を長くしていく、あるいはその逆の点滅周期の可変制御を行う構成としてもよい。
【００９１】
さらに、ＬＥＤの発光色を変更する構成として、カメラの傾きの有無や、カメラの傾き角度の大小に応じて発光色を変更する制御構成としてもよい。
【００９２】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００９３】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００９４】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００９５】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００９６】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００９７】
以上、説明したように、本発明の構成によれば、撮像装置において、水平補助線などの傾き情報をＬＣＤパネル上の表示画面に提示することが出来ない場合、例えばＬＣＤパネルが消灯時の場合においても、ＬＥＤ等の発光部の発光態様を撮像装置の傾きに応じて変更する構成としたので、撮像装置の利用者は、ＬＣＤパネルをＯＮとすることなく、容易に撮像装置の傾きの発生状態を確認することが可能となる。
【００９８】
また、本発明の一実施例の構成によれば、焦点調整処理の成否を告知する合焦確認用発光ＬＥＤを傾き告知用のＬＥＤとして兼用する構成とし、
（１）合焦処理中、
（２）合焦処理成功、かつカメラ傾きなし、
（３）合焦処理失敗、かつカメラ傾きなし、
（４）合焦処理成功、かつカメラ傾きあり、
（５）合焦処理失敗、かつカメラ傾きあり、
上記（１）〜（５）の各々の状態に応じて、合焦確認用発光ＬＥＤを異なる発光態様で発光させる制御を行う構成としたので、部品追加、コストアツプを伴うことなく、利用者に撮像装置の傾きの発生状態を告知する構成を実現し、ＬＥＤの点滅状態の変更で、利用者がカメラの傾きを把握できるようになり、操作性が向上する。
【図面の簡単な説明】
【００９９】
【図１】本発明の一実施例に係る撮像装置の外観構成を示す図である。
【図２】本発明の一実施例に係る撮像装置のハードウェア構成および信号処理について説明するブロック図である。
【図３】本発明の一実施例に係る撮像装置のモニタ画面としてのＬＣＤパネルに表示されるカメラ傾き告知のための水平補助線等の表示態様について説明する図である。
【図４】本発明の一実施例に係る撮像装置において、モニタ画面としてのＬＣＤパネルがＯＮ状態でのＬＥＤの点灯制御および信号波形の推移について説明する図である。
【図５】本発明の一実施例に係る撮像装置において、モニタ画面としてのＬＣＤパネルがＯＦＦ状態でのＬＥＤの点灯制御および信号波形の推移について説明する図である。
【図６】本発明の一実施例に係る撮像装置における撮像処理実行時の制御シーケンスを説明するフローチャートを示す図である。
【図７】本発明の一実施例に係る撮像装置において、モニタ画面としてのＬＣＤパネルがＯＮ状態でのＬＥＤの点灯制御シーケンスを説明するフローチャートを示す図であるについて説明する図である。
【図８】本発明の一実施例に係る撮像装置において、モニタ画面としてのＬＣＤパネルがＯＦＦ状態でのＬＥＤの点灯制御シーケンスを説明するフローチャートを示す図である。
【符号の説明】
【０１００】
１  デジタルカメラ
２  シャッターボタン（レリーズボタン）
３  電源切り替えボタン
４  光学ビューファインダ
５  フラッシュ
６  撮像レンズ
７  メニューカーソル指示ボタン類および選択指示ボタン
８  機能ボタン類
９  電子ビューパネル（以下ＬＣＤパネル）表示切替ボタン
１０  ＬＣＤパネル
１１  合焦確認用発光ダイオード（ＬＥＤ表示部）
１２  タリー用発光ダイオード（ＬＥＤ表示部）
１３  ストロボ充電確認用発光ダイオード（ＬＥＤ表示部）
１４  バッテリ挿入口
１５  画像記録用メモリカード挿入口
１６  ＵＳＢ端子口（外部接続端子口）
１７  保護カバー
１８  撮像素子
１９  アナログ信号処理部
２０  Ａ／Ｄ変換部
２１  デジタル信号処理部
２２  Ｉ／Ｏ制御部
２３  メモリカード
２４  ＬＥＤ表示部
２６  操作入力部
２６  ＣＰＵ
２７  プログラムＲＡＭ
２８  画像ＲＡＭ
２９  フラッシュメモリ
３０  制御バス
３１  映像信号生成処理部
３２  傾き検出部
３３  撮影補助線
３４  水平補助線
【図１】
2006287768.tif 000003
【図２】
2006287768.tif 000004
【図３】
2006287768.tif 000005
【図４】
2006287768.tif 000006
【図５】
2006287768.tif 000007
【図６】
2006287768.tif 000008
【図７】
2006287768.tif 000009
【図８】
2006287768.tif 000010